(57)【要約】【課題】複数のＢｌｕｅｔｏｏｔｈ（登録商標）デバイスと自動車との間の面倒のないペアリングを単一のＮＦＣタグを用いて行う。【解決手段】Ｂｌｕｅｔｏｏｔｈデバイスのワンタッチペアリングの方法は、第１のＢｌｕｅｔｏｏｔｈデバイスを第２のＢｌｕｅｔｏｏｔｈデバイス上に配置されたＮＦＣタグ上でタップすることと、第１のＢｌｕｅｔｏｏｔｈデバイス内において第１のＢｌｕｅｔｏｏｔｈデバイスのＢｌｕｅｔｏｏｔｈ接続性をオンにするモバイルアプリケーションをＮＦＣタグによって起動することと、第２のＢｌｕｅｔｏｏｔｈデバイスおよび第３のＢｌｕｅｔｏｏｔｈデバイスのアドレスを第１のＢｌｕｅｔｏｏｔｈデバイス上のモバイルアプリケーションによって探索することと、モバイルアプリケーションにより第２のＢｌｕｅｔｏｏｔｈデバイスとのペアリング過程及び第３のＢｌｕｅｔｏｏｔｈデバイスとのペアリング過程を開始することとを含む。【選択図】図２
2015142384.tif 000002
【特許請求の範囲】
【請求項１】
３つ以上のＢｌｕｅｔｏｏｔｈ（登録商標）デバイスのワンタッチペアリングを単一の近接場カード（ＮＦＣ）タグを用いて行う方法であって、
第１のＢｌｕｅｔｏｏｔｈデバイスを第２のＢｌｕｅｔｏｏｔｈデバイス上に配置されたＮＦＣタグ上にタップするステップと、
第１のＢｌｕｅｔｏｏｔｈデバイス内においてモバイルアプリケーションをＮＦＣタグによって起動するステップであって、前記モバイルアプリケーションは前記第１のＢｌｕｅｔｏｏｔｈデバイスのＢｌｕｅｔｏｏｔｈ接続性をオンにする、ステップと、
前記第２のＢｌｕｅｔｏｏｔｈデバイスおよび第３のＢｌｕｅｔｏｏｔｈデバイスのアドレスを前記第１のＢｌｕｅｔｏｏｔｈデバイス上のモバイルアプリケーションによって探索するステップと、
前記モバイルアプリケーションにより前記第２のＢｌｕｅｔｏｏｔｈデバイスとのペアリング過程を開始し、前記第１のＢｌｕｅｔｏｏｔｈデバイスと前記第２のＢｌｕｅｔｏｏｔｈデバイスとの間の第１のＢｌｕｅｔｏｏｔｈ接続を確立するステップと、
前記モバイルアプリケーションにより前記第３のＢｌｕｅｔｏｏｔｈデバイスとのペアリング過程を開始し、前記第１のＢｌｕｅｔｏｏｔｈデバイスと前記第３のＢｌｕｅｔｏｏｔｈデバイスとの間の第２のＢｌｕｅｔｏｏｔｈ接続を確立するステップと、
３つのＢｌｕｅｔｏｏｔｈデバイス全ての接続が成功した旨の確認映像を前記第１のＢｌｕｅｔｏｏｔｈデバイス、前記第２のＢｌｕｅｔｏｏｔｈデバイスおよび前記第３のＢｌｕｅｔｏｏｔｈデバイスそれぞれのディスプレイ上に表示するステップと、
を含み、
前記モバイルアプリケーションは、前記第１のＢｌｕｅｔｏｏｔｈデバイス上にインストールされ、前記第２のＢｌｕｅｔｏｏｔｈデバイスのＮＦＣタグ上へのタップによって起動された後、前記第１のＢｌｕｅｔｏｏｔｈデバイスと前記第２のＢｌｕｅｔｏｏｔｈデバイスおよび前記第３のＢｌｕｅｔｏｏｔｈデバイスとのペアリングを開始および確立する、
方法。
【請求項２】
前記第１のＢｌｕｅｔｏｏｔｈ接続は、シリアルポートプロファイル（ＳＰＰ）を含む、請求項１に記載の３つ以上のＢｌｕｅｔｏｏｔｈデバイスのワンタッチペアリングの方法。
【請求項３】
前記第２のＢｌｕｅｔｏｏｔｈ接続は、ハンズフリープロファイル（ＨＦＰ）またはアドバンスドオーディオディストリビューションプロファイル（Ａ２ＤＰ）のうちの１つを含む、請求項１に記載の３つ以上のＢｌｕｅｔｏｏｔｈデバイスのワンタッチペアリングの方法。
【請求項４】
前記第１のＢｌｕｅｔｏｏｔｈデバイスはスマートフォンを含み、前記第２のＢｌｕｅｔｏｏｔｈデバイスは、Ｂｌｕｅｔｏｏｔｈ接続性を備えたオートバイクラスタを含み、前記第３のＢｌｕｅｔｏｏｔｈデバイスは、Ｂｌｕｅｔｏｏｔｈハンズフリーデバイスが埋設されたヘルメットを含む、請求項１に記載の３つ以上のＢｌｕｅｔｏｏｔｈデバイスのワンタッチペアリングの方法。
【発明の詳細な説明】
【技術分野】
【０００１】
本発明は、主にＮＦＣタグを用いた複数のＢｌｕｅｔｏｏｔｈ（登録商標）デバイス間のペアリングに関する。詳細には、本発明は、単一の近接場チップ（ＮＦＣ）タグを用いた複数のＢｌｕｅｔｏｏｔｈデバイス間のワンタッチペアリングに関する。
【背景技術】
【０００２】
若い世代の自動車ドライバにおける情報、支援及びエンターテイメントのニーズから、自動車との対話のためにスマートデバイス（例えば、携帯電話及び関連アクセサリ）を用いた接続エコシステムが流行しつつある。自動車の運転時に複数のＢｌｕｅｔｏｏｔｈデバイスを使用する状況が生じたことにより、これらのデバイス全てと自動車とのペアリングを面倒のない様態で行う必要性が存在する。通常のＢｌｕｅｔｏｏｔｈデバイスペアリング順序においては、ユーザは、Ｂｌｕｅｔｏｏｔｈデバイスをスキャンし、接続対象デバイスを選択し、ＰＩＮを入力後にさらにファイル転送を認証する必要がある。
【０００３】
近接場チップ（ＮＦＣ）タグは、携帯電話と車とのペアリングに用いられている。しかし、オートバイ及び他の二輪車にとっての接続性という概念及び接続対象デバイスは、よく着想された特徴を通じて広範に示される必要がある。
【０００４】
現在、ワンタッチにより単一のＮＦＣタグを用いてペアリングされるのは、２つのデバイスのみである。すなわち、３つのデバイスを既存のシステムによってペアリング及び接続する場合、２回タップすること及びＮＦＣタグを２つ用いることが必要になる。
【０００５】
このような必要性は、セットアップする複数のユーザと共に接続対象デバイス数が増加または変化した場合、余計な負荷となる。特に、二輪車ドライバのニーズに焦点を当てた場合、自動車とスマートフォン及び関連するデバイスファミリ（例えば、Ｂｌｕｅｔｏｏｔｈイネーブル型ヘルメット）とを接続できるようにすることによって、ドライバがスマートフォンの能力を（安全性における妥協無く）活用することを支援できると考えられる。しかし、複数のＢｌｕｅｔｏｏｔｈデバイスをペアリングするための既存の方法は煩雑であり、複数のステップ（図１に示す）においてユーザが介入する必要がある。
【０００６】
上記の議論を鑑みて、複数のＢｌｕｅｔｏｏｔｈデバイスと自動車との間において面倒のないペアリングを行うための向上した方法を提供する必要性が存在することが考えられ得る。
【発明の概要】
【発明が解決しようとする課題】
【０００７】
本発明の主な目的は、複数のＢｌｕｅｔｏｏｔｈデバイスと自動車との間の面倒のないペアリングを単一のＮＦＣタグを用いて行う方法を提供することである。
【０００８】
本発明の別の目的は、ユーザ介入が少ない、複数のＢｌｕｅｔｏｏｔｈデバイスと自動車との間の面倒のないペアリングを単一のＮＦＣタグを用いて行う方法を提供することである。
【０００９】
本発明の別の目的は、ユーザがスマートフォンの恩恵を動きながら得ることができるような、複数のＢｌｕｅｔｏｏｔｈデバイスと自動車との間の面倒のないペアリングを単一のＮＦＣタグを用いて行う方法を提供することである。
【００１０】
本発明の別の目的は、安全な乗車及び継続的接続を確保することができる、複数のＢｌｕｅｔｏｏｔｈデバイスと自動車との間の面倒のないペアリングを単一のＮＦＣタグを用いて行う方法を提供することである。
【課題を解決するための手段】
【００１１】
上記の目的を達成するため、本発明は、３つ以上のＢｌｕｅｔｏｏｔｈデバイスのワンタッチペアリングを単一の近接場カード（ＮＦＣ）タグを用いて行う方法を開示する。この方法は、第１のＢｌｕｅｔｏｏｔｈデバイスを第２のＢｌｕｅｔｏｏｔｈデバイス上に配置されたＮＦＣタグ上にタップするステップと、第１のＢｌｕｅｔｏｏｔｈデバイス内においてモバイルアプリケーションをＮＦＣタグによって起動するステップであって、モバイルアプリケーションは第１のＢｌｕｅｔｏｏｔｈデバイスのＢｌｕｅｔｏｏｔｈ接続性をオンにする、ステップと、第２のＢｌｕｅｔｏｏｔｈデバイス及び第３のＢｌｕｅｔｏｏｔｈデバイスアドレスを第１のＢｌｕｅｔｏｏｔｈデバイス上のモバイルアプリケーションによって探索するステップと、モバイルアプリケーションにより第２のＢｌｕｅｔｏｏｔｈデバイスとのペアリング過程を開始するステップと、第１のＢｌｕｅｔｏｏｔｈデバイスと第２のＢｌｕｅｔｏｏｔｈデバイスとの間の第１のＢｌｕｅｔｏｏｔｈ接続を確立するステップと、モバイルアプリケーションにより第３のＢｌｕｅｔｏｏｔｈデバイスとのペアリング過程を開始するステップと、第１のＢｌｕｅｔｏｏｔｈデバイスと第３のＢｌｕｅｔｏｏｔｈデバイスとの間の第２のＢｌｕｅｔｏｏｔｈ接続を確立するステップと、３つのＢｌｕｅｔｏｏｔｈデバイス全ての接続が成功した旨の確認映像を第１のＢｌｕｅｔｏｏｔｈデバイス、第２のＢｌｕｅｔｏｏｔｈデバイス及び第３のＢｌｕｅｔｏｏｔｈデバイスそれぞれのディスプレイ上に表示するステップであって、モバイルアプリケーションは、第１のＢｌｕｅｔｏｏｔｈデバイス上にインストールされ、第２のＢｌｕｅｔｏｏｔｈデバイスのＮＦＣタグ上へのタップによって起動された後、第１のＢｌｕｅｔｏｏｔｈデバイスと第２のＢｌｕｅｔｏｏｔｈデバイス及び第３のＢｌｕｅｔｏｏｔｈデバイスとのペアリングを開始及び確立する、ステップとを含む。
【００１２】
一実施形態において、第１のＢｌｕｅｔｏｏｔｈ接続は、シリアルポートプロファイル（ＳＰＰ）であるのがよい。
【００１３】
一実施形態において、第２のＢｌｕｅｔｏｏｔｈ接続は、ハンズフリープロファイル（ＨＦＰ）またはアドバンスドオーディオディストリビューションプロファイル（Ａ２ＤＰ）であるのがよい。
【００１４】
一実施形態において、第１のＢｌｕｅｔｏｏｔｈデバイスはスマートフォンであるのがよく、第２のＢｌｕｅｔｏｏｔｈデバイスは、Ｂｌｕｅｔｏｏｔｈ接続性を備えたオートバイクラスタであるのがよく、第３のＢｌｕｅｔｏｏｔｈデバイスは、Ｂｌｕｅｔｏｏｔｈハンズフリーデバイスが埋設されたヘルメットであるのがよい。
【００１５】
上記の一般的な記載及び以下の本発明の実施形態の詳細な説明は、特許請求の範囲に記載のような本発明の本質及び特性の理解のための大枠を提供することを意図していることが理解されるべきである。添付図面は、本発明のさらなる理解のために記載するものであり、本明細書中において採用され、本明細書中の一部を構成する。図面は、本発明の多様な実施形態を例示するものであり、本記載と共に、本発明の原理及び動作を説明する役割を担う。
【００１６】
本発明の上記及び他の利点は、添付図面中に例示するような本発明の例示的実施形態を参照することにより、より深く理解されかつより明らかになる。
【図面の簡単な説明】
【００１７】
【図１】従来技術としての、複数のＢｌｕｅｔｏｏｔｈデバイスのペアリングをＮＦＣタグ無しに行う方法を示すフローチャートである。
【図２】本発明の一実施形態による、複数のＢｌｕｅｔｏｏｔｈデバイスのペアリングを単一のＮＦＣタグを用いて行う方法を示すフローチャートである。
【発明を実施するための形態】
【００１８】
ここで、添付図面に示すような本発明の例示的実施形態を参照する。可能な場合、同一または類似の部分を指す際に必ず同一の参照符号が用いられる。
【００１９】
本明細書中において開示されるのは、複数のＢｌｕｅｔｏｏｔｈデバイスと自動車とのワンタッチペアリングを単一のＮＦＣタグを用いて行う方法である。本発明は、二輪車ドライバに特に適用可能である。しかし、本発明は、他の種類の自動車にも適用可能である。
【００２０】
二輪車ドライバの通信ニーズ及びスマートフォン使用パターンは、運転中における安全かつ明確な通信方法が必要とされていることを提案する。すなわち、少なくとも２つのＢｌｕｅｔｏｏｔｈデバイスを二輪車とペアリングする必要があることを暗示する。例えば、これらのＢｌｕｅｔｏｏｔｈデバイスは、主に二輪車ドライバに用いられている、スマートフォン及びハンズフリーデバイスであるのがよい。さらに、ヘルメットには、Ｂｌｕｅｔｏｏｔｈハンズフリーセットが埋設されるのがよい。Ｂｌｕｅｔｏｏｔｈハンズフリーデバイスは、マイク及びイヤーピース双方を含む。本発明は、スマートフォン、ハンズフリー埋設型ヘルメット及びオートバイをペアリングすることのユーザ体験を向上させるという問題に向けられたものである。
【００２１】
通常、オートバイドライバは、ヘルメットを着用し、物理的鍵を用いて車両イグニッションをオンにして運転を開始する。本発明において開示されるのは、オートバイの起動時において携帯電話及びヘルメットとオートバイとのペアリングをシームレスに行うことである。
【００２２】
図２は、本発明の一実施形態による、複数のＢｌｕｅｔｏｏｔｈデバイスのワンタッチペアリングを単一のＮＦＣタグを用いて行う方法を示すフローチャートである。オートバイドライバが車両に接近すると、ドライバは車両のイグニッションをオンにする。これと同時に、ヘルメット中のＢｌｕｅｔｏｏｔｈもオンにする。その後、ドライバは、ステップ２０２において携帯電話またはスマートフォンを車両に貼着されたＮＦＣタグ上にタップする。その結果、ステップ２０４においてドライバのスマートフォンでモバイルアプリケーションが起動する。モバイルアプリケーションは、モバイルＢｌｕｅｔｏｏｔｈをさらにオンにし、ステップ２０６において携帯電話とバイク及びヘルメットとのペアリングを行う。ステップ２０８において、モバイルアプリケーションは、ヘルメットがスマートフォンとペアリングされたかを確認する。ヘルメットがペアリングされていない場合、モバイルアプリケーションはステップ２１０においてペアリングを開始する。ペアリングは、ＳＳＰ（セキュアシンプルペアリング）帯域外（ＯＯＢ）技術を用いて開始される。ヘルメットとスマートフォンとのペアリングが成功した場合、ステップ２１２において、スマートフォンは、ヘルメットとのハンズフリープロファイル（ＨＦＰ）またはアドバンスドオーディオディストリビューションプロファイル（Ａ２ＤＰ）接続を確立する。さらに、モバイルアプリケーションは、ステップ２１４においてオートバイクラスタがスマートフォンとペアリングされているかも確認する。クラスタのペアリングが成功しなかった場合、モバイルアプリケーションはステップ２１６においてペアリングを開始する。クラスタがステップ２１８において成功裏にペアリングされた場合、モバイルアプリケーションは、オードトバイクラスタとのシリアルポートプロファイル（ＳＰＰ）接続を確立する。最後に、ステップ２２０において、３つのデバイス全ての接続が成功した旨の確認映像がユーザのスマートフォン及びオートバイクラスタ上に表示される。上記方法の要求は、スマートフォンとペアリングまたは接続すべきデバイス（すなわち、ヘルメット及びオートバイ）のＢｌｕｅｔｏｏｔｈがＯＮになっておりかつＢｌｕｅｔｏｏｔｈ接続性が確保される範囲内にあることである。
【００２３】
本発明は、３つのデバイスを瞬時に接続するために単一のＮＦＣタグを用いる点において、２つの異なるＮＦＣタグをそれぞれ２回タップして各デバイスを携帯電話とペアリングする必要がある既存の機構と異なる。
【００２４】
このペアリング方法の１つの利点として、ユーザ介入が少ない点がある。第２に、ユーザがスマートフォンの恩恵を動きながら享受することができる点がある。さらに、複数のＢｌｕｅｔｏｏｔｈデバイスをペアリングする方法は面倒がないので、ユーザは、車両の運転に集中することができ、安全な乗車を保証することができる。
【００２５】
当業者であれば、本発明の範囲及び意図から逸脱することなく多様な改変及び変更が可能であることを理解することが理解されるべきである。よって、本発明は、添付の特許請求の範囲及びその均等物内に収まるこのような改変及び変更を網羅することが意図される。
【図１】
2015142384.tif 000003
【図２】
2015142384.tif 000004